【手続補正書】
【提出日】平成30年11月16日(2018.11.16)
【手続補正１】
【補正対象書類名】明細書
【補正対象項目名】００６９
【補正方法】変更
【補正の内容】
【００６９】
ここに記載したような閉鎖装置は電子機器を保持ユニットに連結するために使用されるだけでなく、全く異なる使用目的に対しても使用できる。ここに記載したような閉鎖装置は、一般に、二つの部品を互いに連結するために使用できる。
以下、本発明に含まれる態様を記す。
[態様１]  電子機器を保持ユニットに固定するための閉鎖装置（１）であって、
前記閉鎖装置（１）は、
―第一の取付け部（２１）を持つ第一の閉鎖部（２）と
―第二の取付け部（３１）を持ち、かつ閉じる方向（Ｘ）に第一の閉鎖部（２）に取り付けられることができる、第二の閉鎖部（３）と、を持ち、
少なくとも一つのスレッド（２１１，３１１）が前記第一および第二の取付け部（２１，３１）の一方に配置され、少なくとも一つの係合エレメント（３１１，２１１）が、前記第一および第二の取付け部（３１，２１）の他方に配置されて、前記第一および第二の閉鎖部（２，３）を互いに取り付ける際に、前記少なくとも一つの係合エレメント（３１１，２１１）が前記少なくとも一つのスレッド（２１１，３１１）の上を走る、前記閉鎖装置（１）において、
前記取り付ける際に前記第一の閉鎖部（２）と前記第二の閉鎖部（３）との間に磁気吸引が働く磁気デバイス（２２，３２）を備え、前記少なくとも一つのスレッド（２１１，３１１）がピッチ（α）を持ち、前記第一および第二の閉鎖部（２，３）を互いに取り付ける際に、前記磁気デバイス（２２，３２）の磁気吸引により、前記少なくとも一つのスレッド（２１１，３１１）と前記少なくとも一つの係合エレメント（３１１，２１１）とが互いの上を走り、それにより、前記第一および第二の閉鎖部（２，３）が閉じる方向（Ｘ）周りの回転方向（Ｄ）に、互いに対して自動的に捻られることを特徴とする閉鎖装置。
[態様２]  態様１に記載の閉鎖装置において、前記第一の取付け部（２１）と前記第二の取付け部（３１）にそれぞれ少なくとも一つのスレッドが配置され、前記第一および第二の閉鎖部（２，３）を取り付ける時に、それらが互いにその上を走ることを特徴とする閉鎖装置。
[態様３]  態様１または態様２に記載の閉鎖装置において、前記閉鎖部（２，３）が互いに取り付けられた連結状態において、前記磁気デバイス（２２，３２）は、前記第一および第二の閉鎖部（２，３）の互いに対して、回転方向（Ｄ）と反対方向への捻りに抵抗することを特徴とする閉鎖装置。
[態様４]  態様１から３のいずれか一項に記載の閉鎖装置において、前記第一および第二の閉鎖部（２，３）が互いに取り付けられた連結状態において、前記第一および第二の閉鎖部（２，３）を、回転方向（Ｄ）と反対方向の捻りに抵抗するために、機械的にインターロックすることを特徴とする閉鎖装置。
[態様５]  態様４に記載の閉鎖装置において、連結した状態において、前記第一および第二の閉鎖部の一方（３）の突起エレメント（３３１）が、他方の閉鎖部（２）のストッパー面（２１７）と、回転方向（Ｄ）と逆方向に当接していることを特徴とする閉鎖装置。
[態様６]  態様５に記載の閉鎖装置において、前記突起エレメント（３３１）が前記閉鎖部の一方（３）のハウジング部品（３０）と弾性的に連結されたロックレバー（３３）に形成されて、それにより、前記突起エレメント（３３１）が、前記ストッパー面（２１７）と接触しないように、動くことができることを特徴とする閉鎖装置。
[態様７]  態様１から６のいずれか一項に記載の閉鎖装置において、前記第一の取付け部（２１）、および/または前記第二の取り付け部（３１）が、少なくとも部分的に、閉じる方向（Ｘ）に向かって円錐形に形成されてなることを特徴とする閉鎖装置。
[態様８]  態様１から７のいずれか一項に記載の閉鎖装置において、前記少なくとも一つのスレッド（２１１，３１１）が、他方の閉鎖部（２，３）の前記取付け部（３１，２１）に向き合う面（２１８，３１８）で、閉じる方向（Ｘ）に対してある角度で傾いていることを特徴とする閉鎖装置。
[態様９]  態様１から８のいずれか一項に記載の閉鎖装置において、第一の端部（２１４，３１４）における前記少なくとも一つのスレッド（２１１，３１１）が、閉じる方向（Ｘ）に沿って測って、第二の端部（２１４，３１４）におけるよりも小さい高さ（Ｈ１）を有することを特徴とする閉鎖装置。
[態様１０]  態様１から９のいずれか一項に記載の閉鎖装置において、前記少なくとも一つのスレッド（３１１）が、第一の部分（３１１Ａ）と第二の部分（３１１Ｂ）を持つことを特徴とする閉鎖装置。
[態様１１]  態様１０に記載の閉鎖装置において、前記第一および第二の部分（３１１Ａ、３１１Ｂ）が異なるピッチおよび/または方向を有することを特徴とする閉鎖装置。
[態様１２]  態様１０または１１に記載の閉鎖装置において、前記閉鎖部（２，３）を互いに配置して取り付ける際に、
―前記少なくとも一つの係合エレメント（２１１）が第一の部分（３１１Ａ）に係合する時、前記閉鎖部（２，３）が第一の回転方向（Ｄ）に互いに対して捻られ、
―前記少なくとも一つの係合エレメント（２１１）が第二の部分（３１１Ｂ）に係合する時、前記閉鎖部（２，３）が第一の回転方向（Ｄ）とは逆の、第二の回転方向（Ｄ’）に、互いに対して捻られることを特徴とする閉鎖装置。
[態様１３]  態様１から１２のいずれか一項に記載の閉鎖装置において、前記閉鎖部（２１，３１）の一つに、前記少なくとも一つのスレッド（２１１，３１１）に対する補助的なスレッド（２１１Ａ、３１１Ａ）が配置され、前記補助的なスレッド（２１１Ａ，３１１Ａ）が、前記閉鎖部（２，３）を互いに配置して取り付ける際に、回転方向（Ｄ）、または反対の回転方向（Ｄ’）にも、互いに対して捻ることができるようにするため、前記少なくとも一つのスレッド（２１１，３１１）に対し鏡面対称に形成されてなることを特徴とする閉鎖装置。
[態様１４]  態様１から１３のいずれか一項に記載の閉鎖装置において、回転方向（Ｄ）に見て、前記少なくとも一つのスレッド（２１１）にガイド部分（２３）が連結し、前記スレッド（２１１）を通過した後、前記係合エレメント（３１１）を、閉じる方向（Ｘ）にガイド可能であることを特徴とする閉鎖装置。
[態様１５]  態様１４に記載の閉鎖装置において、前記第一の閉鎖部（２）と前記第二の閉鎖部（３）が互いに配置された閉じた位置において、前記係合エレメント（３１１）が、前記ガイド部分（２３）に入っており、そのために前記閉鎖部（２，３）の回転方向（Ｄ）の反対方向への互いの捻りがブロックされていることを特徴とする閉鎖装置。
[態様１６]  態様１４または１５に記載の閉鎖装置において、前記ガイド部分（２３）が、閉じる方向（Ｘ）を横断して延びており、前記ガイド部分（２３）を閉じる方向（Ｘ）とは反対に境を形成しているストッパー面（２３１）を有し、前記係合エレメント（３１１）が前記ガイド部分（２３）の中で閉じる方向（Ｘ）と反対に動く際に、前記ストッパー面（２３１）に当たることを特徴とする閉鎖装置。
[態様１７]  態様１から１６のいずれか一項に記載の閉鎖装置において、前記電子機器が、携帯電話、特にはスマートフォン、ＰＤＡまたはその他の電子通信機器であることを特徴とする閉鎖装置。
[態様１８]    態様１から１７のいずれか一項に記載の閉鎖装置（１）を持つ電子装置。